(57)【要約】【課題】入賞口への入賞率の調整を行うための釘を不要として遊技機の装飾性を高めることを可能としたり遊技盤面の設計自由度を高めたりするとともに、遊技機ごとの大入賞口への入賞率のばらつきを抑えて適切な入賞率での遊技を実現することができる入賞口ユニット等を提供すること。【解決手段】この入賞口ユニット３０は、遊技媒体２０の流下による遊技を実現する遊技領域において、扉部３８を有して構成された入賞口３０ａの前方に配置され、遊技媒体の入賞口への入賞を補助する補助プレートと、遊技領域において入賞口の周囲を覆うベース部３６と、ベース部と補助プレートとの間に配置され、大入賞口から側方に離れる方向に向けて下がり傾斜する傾斜面４６ａを有し、大入賞口への遊技媒体の入賞率を調整する調整部４６と、を有している。【選択図】図５
2009160028.tif 000002
【特許請求の範囲】
【請求項１】
遊技媒体の流下による遊技を実現する遊技領域において、開閉可能とされた扉部を有して構成された入賞口の前方に配置され、前記遊技媒体の前記入賞口への入賞を補助する補助プレートと、
前記遊技領域において前記入賞口の周囲を覆うベース部と、
該ベース部と前記補助プレートとの間に配置され、前記入賞口から側方に離れる方向に向けて下がり傾斜する傾斜面を有し、前記遊技領域を流下する前記遊技媒体を前記入賞口から離れる方向へ誘導して前記入賞口への前記遊技媒体の入賞率を調整する調整部と、を有する入賞口ユニット。
【請求項２】
前記補助プレートと前記調整部とが一体形成されている請求項１に記載の入賞口ユニット。
【請求項３】
前記遊技領域がその前面に形成された遊技盤と、請求項１又は請求項２に記載の入賞口ユニットと、を備える遊技盤ユニットと、
該遊技盤ユニットを視認可能に内部に保持する枠体と、
前記遊技盤ユニットに対して一定距離以上離間して配置された前面透明板と、を有する遊技機。
【発明の詳細な説明】
【技術分野】
【０００１】
本発明は、入賞口ユニット及び遊技機に係り、特に入賞口への遊技媒体の入賞率を調整する調整部を有する入賞口ユニット等に関する。
【背景技術】
【０００２】
パチンコ機等の遊技機では、弾球された球（遊技媒体）が遊技装置体としての遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
近年の遊技機では、興趣向上を図るために遊技者に多量の景品球を獲得させるいわゆる「当り」遊技が構成されるものもある。例えば、遊技盤面上に図柄表示装置が設けられ、その表示画面に数字やキャラクター等の図柄が表示される。そして、所定条件の成立時にその図柄の変動（以下、図柄変動という。）が開始され、その停止表示が特定の態様となったときに、「当り」遊技が開始されるのである。
【０００４】
遊技盤面上には前後に開閉可能な開閉扉を有する大入賞口が配置され、「当り」遊技となった際にその開閉扉が開状態となるようになっている。開閉扉が開状態となっている間は球が大入賞口に入賞しやすい状態となる。「当り」遊技では、開閉扉が開状態とされることで、多量の球が大入賞口に受け入れられて多量の景品球払出しがなされるようになっているのである。
【０００５】
ここで、「当り」遊技中の大入賞口への球の入賞率（遊技領域を流下する球のうち、大入賞口に入賞する球の割合。）が高すぎれば景品球の払出しが多くなりすぎ遊技機ホールが不利益を被ったり、入賞率が低すぎれば「当り」遊技にもかかわらず景品球の払出しが少なくなりすぎ遊技者が不利益を被ったりする場合がある。すなわち、大入賞口への球の入賞率は、遊技機ホールと遊技者の双方が不利益を被らない適正なものであることが好ましい。
【０００６】
そこで、大入賞口の近傍には、大入賞口への球の入賞率を調整するための釘が打ち込まれている。大入賞口に向かって流下する球が釘に衝突し、その流下方向が変化して、あるものは大入賞口への入賞が阻まれ、あるものは大入賞口に入賞することで大入賞口への球の入賞率が調整されるのである。
【０００７】
このように大入賞口の近傍に釘が立設されたものの例として、例えば特許文献１に記載のものがある。
【０００８】
【特許文献１】特開２００７−２６０３３５号公報
【発明の開示】
【発明が解決しようとする課題】
【０００９】
近年では、より一層の興趣向上を図ったり遊技者の興味を惹きつけたりすべく、「当り」遊技等の遊技性の面での工夫に加えて、装飾性の面においても様々な工夫がなされている。例えば、遊技盤面に図柄や模様を描いたり、遊技盤面の一部を合成樹脂部材やメッキ部材等で覆ったりして、遊技機の装飾性を高めることが行われている。
【００１０】
しかし、合成樹脂やメッキ部材に対して釘を打ち込むことは難しいため、入賞率を調整するための釘を避けて合成樹脂やメッキ部材を配置しなければならず、思うように装飾性を高めることができないという問題がある。また、他の入賞口や羽根車等を配置する際にも、入賞率を調整するための釘を避けて配置しなければならず、遊技盤面の設計自由度も低くなっていた。
【００１１】
遊技盤面に対する釘の立設角度は、打ち込み強度や打ち込み角度によってばらつきが生じる場合もある。遊技機ごとに釘の立設角度にばらつきが生じると、釘に衝突した球の跳ね返り方も遊技機ごとにばらつきが生じることとなる。そうすると、遊技機ごとに大入賞口への球の入賞率もばらつくこととなり、遊技機によっては適正な入賞率での遊技を提供することができないものもでてきてしまうという問題もあった。
【００１２】
本発明は上記の事情に鑑みて為されたもので、入賞口への入賞率の調整を行うための釘を不要として遊技機の装飾性を高めることを可能としたり遊技盤面の設計自由度を高めたりするとともに、遊技機ごとの入賞口への入賞率のばらつきを抑えて適正な入賞率での遊技を実現することができる入賞口ユニット等を提供することを例示的課題とする。
【課題を解決するための手段】
【００１３】
上記の課題を解決するために、本発明の例示的側面としての入賞口ユニットは、遊技媒体の流下による遊技を実現する遊技領域において、開閉可能とされた扉部を有して構成された入賞口の前方に配置され、遊技媒体の入賞口への入賞を補助する補助プレートと、遊技領域において入賞口の周囲を覆うベース部と、ベース部と補助プレートとの間に配置され、入賞口から側方に離れる方向に向けて下がり傾斜する傾斜面を有し、遊技領域を流下する遊技媒体を入賞口から離れる方向へ誘導して入賞口への遊技媒体の入賞率を調整する調整部と、を有する。
【００１４】
入賞口に向かって遊技盤面上を流下する遊技媒体の一部は、調整部が有する傾斜面に接触又は衝突することで、傾斜面上を転動したり跳ね返ったりして入賞口から離れる方向に誘導される。したがって、入賞口に向かって流下する遊技媒体の一部の入賞を傾斜面によって阻むことで、入賞口への遊技媒体の入賞率を調整することができる。
【００１５】
入賞口への遊技媒体の入賞率を調整部によって調整することができるので、入賞率を調整するための釘が不要となる。したがって、入賞率を調整するための釘が従来配置されていた位置にも自由に樹脂部材等を配置することができ、遊技盤面の装飾性をより一層高めることができるし、他の入賞口や羽根車等も入賞率を調整するための釘を避けて配置する必要がなくなり、遊技盤面の設計自由度も向上する。
【００１６】
また、入賞口の周囲を覆うベース部によって入賞口の周囲を装飾することもできる。ベース部を、入賞率調整のための釘が打ち込まれていたスペースを覆うように大きく形成してもよく、そのベース部を釘打ち困難な樹脂部材等とすることもできる。したがって、大きく形成された樹脂部材に造形を施したり、その表面にメッキ等を施したりすることで、遊技機の装飾性をより一層高めることができる。
【００１７】
なお、遊技媒体としては、球やコイン等を概念することができ、例えばパチンコ遊技においてはパチンコ球を意味する。
【００１８】
また、補助プレートは、入賞口の前方に配置される板状のプレート部材であり、入賞口と補助プレートとの間であって補助プレート寄りを流下する遊技媒体を入賞口に向けて誘導し、遊技媒体の入賞口への入賞を補助する機能を有する。
【００１９】
本願においては、遊技機から遊技者に向かう方向が「前方」であり、前方を向く面が「前面」である。逆に遊技者から遊技機に向かう方向が「後方」であり、後方を向く面が「後面」である。また、「左右」は、遊技機で遊技する遊技者から見た「左右」の意味である。
【００２０】
補助プレートと調整部とが一体形成されていてもよい。補助プレートと調整部とが一体形成されているので、部品点数の削減、取付け工程の削減により遊技機の製造コスト低減を図ることができる。
【００２１】
また、補助プレートと調整部とが一体形成されているので、その一体形成された部材を組み付けることで、調整部に形成された傾斜面の傾斜角度が定まることとなる。したがって、打ち込み強度や打ち込み角度によってその立設角度にばらつきの生じやすい釘に比べて、傾斜面の傾斜角度のばらつきを抑えることができるようになる。傾斜面の傾斜角度のばらつきを抑えることができるので、遊技機ごとの入賞口への球の入賞率のばらつきを抑えることができ、適正な入賞率での安心感のある遊技を遊技者に提供することができる。
【００２２】
また、ベース部と調整部と補助プレートとを入賞口ユニットとして予め組み立ててから遊技盤面に取り付けることができるので、遊技機の製造工程における作業性を高めることができる。
【００２３】
本発明のさらに他の例示的側面としての遊技盤ユニットは、遊技領域がその前面に形成された遊技盤と、上記入賞口ユニットと、を備える遊技盤ユニットと、遊技盤ユニットを視認可能に内部に保持する枠体と、遊技盤ユニットに対して一定距離以上離間して配置された前面透明板と、を有する。遊技盤ユニットが入賞口への遊技媒体の入賞率を調整する調整部を有する入賞口ユニットを備えているので、この遊技盤ユニットには入賞口への入賞率を調整する釘を打ち込む必要がない。したがって、入賞口ユニットのベース部による装飾等により、この遊技盤ユニットは高い装飾性を発揮することができる。
【００２４】
この遊技機は、装飾性の高い遊技盤ユニットを有しているので、遊技者の注意を惹きつける魅力的な遊技機とすることができる。また、補助プレートと調整部とが一体形成されていれば、遊技機ごとの入賞口への入賞率のばらつきを抑えることができ、遊技者に対して安心感のある遊技を提供することができる。
【００２５】
本発明の更なる目的又はその他の特徴は、以下添付図面を参照して説明される好ましい実施の形態によって明らかにされるであろう。
【発明の効果】
【００２６】
傾斜面を有する調整部により、入賞口への入賞率を調整するための釘の配置を不要とすることで、釘の配置にとらわれない自由な装飾や入賞口等の配置が可能となり、遊技機の装飾性及び遊技盤面の設計自由度を高めることができる。
【００２７】
また、補助プレートと調整部との一体化により、遊技機ごとの入賞口への遊技媒体の入賞率のばらつきを抑えて適正な入賞率で安心感のある遊技を実現することができる。
【発明を実施するための最良の形態】
【００２８】
［実施の形態］
以下、本発明の実施の形態について図面を用いて説明する。図１は、本発明の実施の形態に係る遊技機としてのパチンコ機２の外観を示す正面図である。パチンコ機２は、枠体３、遊技盤ユニット（遊技装置体）６、前面ガラス（前面透明板）１０、装飾枠１２、上皿（球皿）１４、発射ユニット（図示せず。）を有している。
【００２９】
なお、遊技機は、パチンコ機２の他にパロット機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるセブン機等の景品球払出し式パチンコ機等のあらゆるパチンコ機が概念できるが、本実施の形態においては、景品球払出し式のいわゆるセブン機について例示説明する。
【００３０】
パチンコ機２の枠体３は、遊技盤ユニット６を視認可能に保持するためのもので、木材・樹脂・金属等を材料として平面視略長方形に構成され、このパチンコ機２の周囲又は周囲及び後方を囲んでいる。枠体３の内部には、遊技盤ユニット６の他にも各種電子基板や遊技媒体用の経路等各種機構部品が配置され、枠体３によって周囲側面、又は周囲側面及び後方面からのパチンコ機２内部への不正アクセスが防止されるようになっている。
【００３１】
例えば、最後方に配置されてパチンコ機２の周囲を囲む筐体枠４、その前方にヒンジ部（揺動支持部）１８によって前方開閉可能に揺動支持されて遊技者にとって視認可能となるように遊技盤ユニット６を保持する機枠８とを有して枠体３が構成される。
【００３２】
図２は、遊技盤ユニット６の外観を示す正面図である。遊技盤ユニット６は、このパチンコ機２において、遊技媒体としての球２０の流下による遊技を実現するためのものであり、遊技盤６ａ、始動入賞具２８、右アタッカーユニット（大入賞口ユニット）３０、画像表示装置３２、アウト口３４を有して大略構成されている。
【００３３】
遊技盤６ａの表面には遊技領域６ｂが形成されている。遊技盤６ａには、略円形状に周囲を囲むようにレール飾り２２が取り付けられ、遊技領域６ｂは、このレール飾り２２の内側に形成された内側面２２ａによって囲まれている。
【００３４】
その遊技領域６ｂに、多数のゲージ（釘ともいう、図示せず。）、始動入賞具２８、右アタッカーユニット３０、画像表示装置３２等が配置され、遊技領域６ｂ下端にはアウト口３４が形成されている。遊技盤６ａには、多数の釘を打ち込む必要があるため、比較的釘を打ち込み易い材料としてベニヤ板等の木材材料が遊技盤６ａに使用されることが多い。
【００３５】
始動入賞具２８は、遊技領域６ｂの中央下方部に配置されている。始動入賞具２８は、遊技領域６ｂを流下する球２０が入賞可能な始動入賞口２８ａを構成するためのものである。球２０が始動入賞口２８ａに入賞すると、図示しない遊技制御基板によって「当り」抽選が行われるようになっている。また、始動入賞口２８ａに球２０が入賞した際にも所定個数の球２０が景品として払い出されるようになっている。
【００３６】
図３は、右アタッカーユニット３０の分解斜視図である。右アタッカーユニット３０は始動入賞具２８の右側に配置され、ベース板（ベース部）３６、光源基板４０、前カバー（遊技媒体誘導ユニット）４２を有して構成されている。
【００３７】
ベース板３６は、平板状の樹脂部材であって、右アタッカーユニット３０を遊技盤６ａに取り付ける際にビス固定等するための取付基板としての機能を有する。
【００３８】
ベース板３６には、左右に横長の略長方形状に開口された右大入賞口（入賞口）３０ａが形成されている。ベース板３６は、メッキ処理されており、遊技領域６ｂにおいて右大入賞口３０ａの周囲を覆って、右大入賞口３０ａの周囲領域を装飾する装飾部材としての機能も有する。
【００３９】
右大入賞口３０ａは前後に開閉可能とされた右開閉扉（扉部）３８を有している。図４（ａ）は右アタッカーユニット３０の右開閉扉３８が閉成した状態を示す横断面図であり、図４（ｂ）は右アタッカーユニット３０の右開閉扉３８が開成した状態を示す横断面図である。
【００４０】
図４（ａ）に示すように、開閉扉３８が閉成した状態では、球２０は右大入賞口３０ａの前面を流下しても右大入賞口３０ａに入賞することなく通過してしまう。しかし、図４（ｂ）に示すように開閉扉３８が開成した状態では、右大入賞口３０ａの前面を流下する球２０は、開成した開閉扉３８に誘導されて右大入賞口３０ａに入賞することができるようになっている。
【００４１】
右大入賞口３０ａに球２０が入賞すると図示しない景品球払出装置から所定個数の景品球が払い出されるようになっている。右開閉扉３８の開成中は、その前面を流下するほとんどの球２０が右大入賞口３０ａに入賞することができるので、多くの球２０が右大入賞口３０ａに入賞し、多量の景品球払出しがなされるようになっている。右開閉扉３８は通常遊技中においては閉成しており、球２０は右大入賞口３０ａに入賞することができない。しかし、始動入賞口２８ａに球２０が入賞して「当り」抽選が行われた結果、「大当り」に当選した場合に「大当り」遊技として右開閉扉３８が開成するようになっている。
【００４２】
ベース板３６には普通入賞具２６も形成されている。普通入賞具２６は、遊技領域６ｂを流下する球２０が入賞可能な普通入賞口２６ａを構成するためのものである。普通入賞口２６ａに球２０が入賞すると図示しない景品球払出装置から所定個数の球２０が払い出されるようになっている。普通入賞具２６がベース板３６に形成されているので、右アタッカーユニット３０を遊技盤６ａに取り付けるだけで、遊技領域６ｂに右大入賞口３０ａと普通入賞口２６ａを構成することができ、遊技盤ユニット６の組立工程を削減することができる。
【００４３】
ベース板３６の一部には、メッキ処理されていない部分があり、その部分が透光部３６ａとなっている。透光部３６ａは、透明樹脂等の透光性を有する材料で構成され、ベース板３６後方からの光を前方に向けて透過させることができる。また、透光部３６ａの後方には光源基板４０が配置されている。光源基板４０上には複数の光源４０ａが配置されている。光源４０ａが点灯した際に発せられる光は、透光部３６ａを透過してパチンコ機２前方の遊技者に届くようになっている。光源４０ａの点灯・消灯は図示しない遊技制御基板により制御されており、遊技状態に合わせて点灯・消灯が繰り返される発光演出が行われるようになっている。この発光演出により、パチンコ機２の装飾性向上及び興趣向上を図ることができるのである。
【００４４】
前カバー４２は、右大入賞口３０ａの前方に配置されて、ベース板３６に取り付けられている。前カバー４２は、補助プレート４４と第１脚部（調整部）４６と第２脚部４８とを有して構成されている。
【００４５】
補助プレート４４は、第１脚部４６及び第２脚部４８と一体形成されている。第１脚部４６と第２脚部４８とがベース板３６に対してビス固定されることで、補助プレート４４はベース板３６に取り付けられるようになっている。また、第１脚部４６と第２脚部４８とがベース板３６と補助プレート４４との間に配置されてスペーサの役割を果たし、球１個の流下が可能な間隔で右大入賞口３０ａの前方に補助プレート４４が配置されるようになっている。
【００４６】
補助プレート４４の上辺４４ａは遊技盤６ａ側に向けて傾斜しており、右大入賞口３０ａの前方をやや離れて流下する球２０がその傾斜に衝突すると右大入賞口３０ａの方向（つまり、後方。）に誘導されるようになっている。右開閉扉３８の開成状態において、前面ガラス１０と右開閉扉３８の先端との間には隙間Ｘができてしまう（図４（ｂ）も参照。）。その隙間Ｘに球２０が挟まってしまうと球詰まりが発生し、遊技中断等の大きな問題となる。しかし、補助プレート４４が球２０を右大入賞口３０ａの方向に誘導して右大入賞口３０ａへの球２０の円滑な入賞を補助するので、前面ガラス１０と右開閉扉３８の先端との間に球２０が詰まるのを未然に防止することができる。
【００４７】
第１脚部４６には傾斜面４６ａが形成されている。第１脚部４６は、この傾斜面によって右大入賞口３０ａへの球２０の入賞率を調整する機能を有する。傾斜面４６ａは右大入賞口３０ａから左側方に離れる方向に下がり傾斜している。右大入賞口３０ａに向かって流下する球２０の一部は、傾斜面４６ａに接触してその上を転動したり（図５（ａ）参照。）、傾斜面４６ａに衝突して跳ね返ったりして右大入賞口３０ａから左側方に離れる方向に誘導されて、右大入賞口３０ａへの入賞を阻まれるようになっている。このように、右大入賞口３０ａに向かって流下する球２０の流下方向が傾斜面４６ａによって変化して、あるものは右大入賞口３０ａへの入賞が阻まれ、あるものは右大入賞口３０ａに入賞することで右大入賞口３０ａへの球２０の入賞率が調整されるのである。
【００４８】
従来は、右大入賞口３０ａの左上方に釘を打ち込んで右大入賞口３０ａへの球２０の入賞率を調整していたが、第１脚部４６によって入賞率を調整することができるので、入賞率を調整するための釘が不要となる。したがって本実施の形態のように、入賞率を調整するための釘が打ち込まれていた領域を、釘の打ち込みが困難である樹脂部材のベース板３６で覆うことができるのである。よって、ベース板３６をより大きく形成してメッキ等による装飾性や発光演出による興趣性をより一層向上することができる。さらに、ベース板３６が大きく形成されることで、透光部３６ａも大きく形成することができ、発光演出によるより一層の装飾性向上及び興趣向上を図ることができる。
【００４９】
また、入賞率を調整するための釘はハンマー等で叩けば、その立設角度を変更することができてしまうが、本実施の形態では補助プレート４４と第１脚部４６とが一体形成されているので、入賞率を調整するための傾斜面４６ａの傾斜角度を容易に変更することができない。したがって、遊技機ホールが意図的に傾斜面４６ａの傾斜角度を変更して入賞率を低くしたり、遊技者が不正の意図を持って傾斜面４６ａの傾斜角度を変更して入賞率を高くしたりすることを防ぐことができる。
【００５０】
右アタッカーユニット３０は遊技領域６ｂの中央よりも右側に偏った位置に配置されているため、右大入賞口３０ａの右側方から右大入賞口３０ａに向かって流下してくる球２０は少ない。したがって、本実施の形態では、右側第２脚部４８は右大入賞口３０ａへの入賞率を調整する機能は有しておらず、主に前カバー４２をベース板３６にビス固定する際の固定基部としての機能を有している。
【００５１】
なお、本実施の形態においては、始動入賞口２８ａの下方にも、下アタッカーユニット３１が配置され、前後に開閉可能とされた下開閉扉５４を有する下大入賞口５０ａが形成されている。下開閉扉５４は通常遊技中は閉成しており、下大入賞口５０ａに球２０は入賞することができない。始動入賞口２８ａに球２０が入賞して「当り」抽選が行われた結果、「小当り」（「当り」遊技の一種。）に当選した場合に「小当り」遊技として下開閉扉５４が開成して、下大入賞口５０ａに球２０が入賞できるようになっている。
【００５２】
本実施の形態においては、画像表示装置３２の左側を流下する球２０は下大入賞口５０ａに向かって流下しやすく、画像表示装置３２の右側を流下する球２０は右大入賞口３０ａに向かって流下しやすくなっている。したがって、より多くの球２０を入賞させるために遊技者は、後述する発射ハンドルを操作して球２０の遊技領域６ｂに向けた発射強度を「当り」の種類によって調節することとなる。（以下、画像表示装置３２の左側を流下させる強度で球２０を発射する遊技を「左打ち遊技」といい、画像表示装置３２の右側を流下させる強度で球２０を発射する遊技を「右打ち遊技」という。）
【００５３】
アウト口３４は、遊技領域６ｂの中央最下端近傍に形成された開口であり、遊技領域６ｂの最下端まで流下した球２０を流入させるためのものである。アウト口３４に流入した球２０は、パチンコ機２の外部に排出されるようになっている。
【００５４】
後述する発射ユニットにより球２０が遊技領域６ｂ内の上部に向けて発射されると、球２０がゲージに衝突してその流下方向を変えつつ遊技領域６ｂ内を流下するようになっている。その流下の途中で、あるものは普通入賞口２６ａに入賞して球の払出しの契機となり、あるものは始動入賞口２８ａに入賞して「当り」抽選の契機となり、また、あるものはいずれの入賞口２６ａ，２８ａ，３０ａ，５０ａにも入賞せずにアウト口３４からパチンコ機２の外部へと排出される。
【００５５】
画像表示装置３２は、変動用の図柄やその背景図柄を含めた画像を表示するためのものであり、本実施の形態では、画像表示装置３２は液晶表示装置で構成され、この画像表示装置３２には変動用の図柄である３桁の数字が表示されるようになっている。
【００５６】
画像表示装置３２は、「当り」抽選の結果を遊技者に報知する機能を有する。始動入賞口２８ａに球２０が入賞し、「当り」抽選が行われると、画像表示装置３２に表示された３桁の数字が変動を開始し、所定時間経過後に停止表示される。抽選の結果が「大当り」であれば停止表示を「大当り」の態様（本実施の形態では、「７・７・７」。）とし、「小当り」であれば停止表示を「小当り」の態様（本実施の形態では、「３・３・３」。）とし、いずれの当りでもなければ（つまり、「外れ」。）停止表示を「７・７・７」「３・３・３」の態様以外のもの（以下、「外れ」の態様という。）として、遊技者に抽選の結果を報知する。この図柄変動の開始から停止までの一連の流れは、遊技者に対して「当り」抽選の結果を報知する遊技演出の一部を構成している。
【００５７】
「大当り」遊技では右開閉扉３８が１５回開閉し、「小当り」遊技では下開閉扉５４が８回開閉する。したがって、「大当り」遊技の方が右大入賞口３０ａに球２０を入賞させる機会が多く、より多くの景品球を獲得することができるようになっている。
【００５８】
前面ガラス１０は、遊技盤ユニット６に対して一定距離以上離間して配置された透明板である。前面ガラス１０は透明平板ガラスで形成され、遊技盤ユニット６との間に球２０が流下する流下スペースを形成する機能、遊技者が前面ガラス１０を通して遊技領域６ｂを視認できるように視認性を確保する機能、遊技者が遊技領域６ｂに不正にアクセス（接触）できないように不正アクセスを防止する機能、を発揮する。
【００５９】
前面透明板としてはガラス素材の前面ガラス１０の他に、もちろん透明アクリル等の樹脂材料が使用されてもよい。また、本実施の形態においては、前面ガラス１０が装飾枠１２に保持されるが、前面ガラス１０が遊技盤ユニット６の前面に取り付けられて、遊技盤ユニット６とともに機枠８に保持されるように構成されていてもよい。
【００６０】
装飾枠１２は、筐体枠４に対して前面開閉可能に揺動支持された枠体である。本実施の形態においては、装飾枠１２はヒンジ部１８において機枠８とともに揺動支持されている。
【００６１】
上皿１４は、球２０を発射ユニットに導くべく貯留するためのもので、下皿１５とともに遊技者の持ち球を貯留する機能を有する。上皿１４は、パチンコ機２の前面であって遊技盤ユニット６の下方、すなわち装飾枠１２の下方部分に配置され、下皿１５は、その上皿１４のさらに下方に配置されている。本実施の形態においては、上皿１４と下皿１５とを別々に構成しているが、もちろん上皿１４と下皿１５とが一体となって１つの球皿が構成されていてもよい。
【００６２】
上皿１４は、景品球としてパチンコ機２から払い出された球２０を受け取る機能や、その球２０を球供給装置（いわゆる整流器、図示せず。）を介して発射ユニットに導くべく貯留する機能を有している。また、遊技者が遊技を終了する場合に、球排出ボタン１４ｂによって下皿１５へと球２０を排出することができるようになっている。
【００６３】
発射ユニットは、球供給装置によって上皿１４から発射位置に送り出された球２０を遊技領域６ｂの上部に向けて発射（弾球）するためのものである。発射ユニットは、例えば発射位置の球２０を弾球する発射杆、その発射杆を駆動する発射モータ、発射杆を付勢して弾球のための力を発生させる発射バネ等を有してユニット構成され、機枠８に取り付けられている。その発射ユニットによる球発射のため、遊技者の操作に基づいて球発射のオンオフ及びその発射強度調整を実現する発射ハンドル５６がパチンコ機２の前面下方に設けられているが、詳細は省略する。
【００６４】
なお、本実施の形態では補助プレート４４と第１脚部４６及び第２脚部４８とが一体形成されているが、これらを別体として形成してもよい。また、第１脚部４６に、傾斜面４６ａを有する調整部としての機能と、補助プレート４４をベース板３６に取り付けるための取付基部としての機能とを持たせているが、これらの機能を別々の部材に持たせても構わない。
【００６５】
右大入賞口３０ａへの球２０の入賞率を調整する調整部としての機能を、第１脚部４６のみに持たせているが、第２脚部４８にも傾斜面を形成して、右大入賞口３０ａへの球２０の入賞率を調整する機能を持たせても構わない。右側方から右大入賞口に向かって流下する球２０の一部の入賞を阻んで入賞率を調整する釘も不要となるので、ベース板をより大きく形成して、より一層の装飾性向上、興趣性向上等を図ることができる。
【００６６】
以上、本発明の好ましい実施の形態を説明したが、本発明はこれらに限定されるものではなく、その要旨の範囲内で様々な変形や変更が可能である。
【図面の簡単な説明】
【００６７】
【図１】本発明の実施の形態に係るパチンコ機の正面図である。
【図２】図１に示すパチンコ機が有する遊技盤ユニットの正面図である。
【図３】図２に示す遊技盤ユニットが有する右アタッカーユニットの分解斜視図である。
【図４】図２に示す遊技盤ユニットが有する右アタッカーユニット部分の横断面図であって、（ａ）右開閉扉が閉成している状態、（ｂ）右開閉扉が開成している状態を示す図である。
【図５】図４に示す右アタッカーユニットのＹ−Ｙ断面であって、（ａ）傾斜面上の球の転動、（ｂ）傾斜面に衝突した球の跳ね返りを説明する図である。
【符号の説明】
【００６８】
Ｘ：隙間
２：パチンコ機（遊技機）
３：枠体
４：筐体枠
６：遊技盤ユニット（遊技装置体ユニット）
６ａ：遊技盤
６ｂ：遊技領域
８：機枠
１０：前面ガラス（前面透明板）
１２：装飾枠
１４：上皿（球皿）
１４ｂ：球排出ボタン
１５：下皿
１８：ヒンジ部（揺動支持部）
２０：球（遊技媒体）
２２：レール飾り
２２ａ：内側面
２６：普通入賞具
２６ａ：普通入賞口
２８：始動入賞具
２８ａ：始動入賞口
３０：右アタッカーユニット（入賞口ユニット）
３０ａ：右大入賞口（入賞口）
３１：下アタッカーユニット
３２：画像表示装置
３４：アウト口
３６：ベース板（ベース部）
３６ａ：透光部
３８：右開閉扉（扉部）
４０：光源基板
４０ａ：光源
４２：前カバー（遊技媒体誘導ユニット）
４４：補助プレート
４４ａ：上辺
４６：第１脚部（調整部）
４６ａ：傾斜面
４８：第２脚部
５０ａ：下大入賞口
５４：下開閉扉
５６：発射ハンドル
【図１】
2009160028.tif 000003
【図２】
2009160028.tif 000004
【図３】
2009160028.tif 000005
【図４】
2009160028.tif 000006
【図５】
2009160028.tif 000007